(57)【要約】      （修正有）【課題】照明機構をパネル上へ設置したり、パネルから容易に取り外して使用することができる上、パネルの見た目を保持し、夜間照明、緊急照明及び移動照明として使用することもできるスイッチパネル照明構造を提供する。【解決手段】室内用スイッチ３の外側面に配置することが可能であるとともに、パネル１及び照明機構２を備える。パネル１は、少なくとも１つの周縁に設けられた収納エリア１１を有する。収納エリア１１中には導電部１２が設けられる。導電部１２には、ＡＣ／ＤＣ変換モジュール１３が電気的に接続される。ＡＣ／ＤＣ変換モジュール１３は、外部電力と電気的に接続される。パネル１は、貫通孔１４を有し、貫通孔１４を介してパネル１から室内用スイッチ３が露出される。照明機構２は、収納エリア１１中に着脱自在に配置され、第１の発光部２１及び第２の発光部２２を有する。【選択図】図１
0003178884.tif 000002
【実用新案登録請求の範囲】
【請求項１】
室内用スイッチの外側面に配置するとともに、パネル及び照明機構を備えたスイッチパネル照明構造であって、
前記パネルが、少なくとも１つの周縁に設けられた収納エリアを有し、前記収納エリア中には導電部が設けられ、前記導電部には、ＡＣ／ＤＣ変換モジュールが電気的に接続され、前記ＡＣ／ＤＣ変換モジュールが、外部電力と電気的に接続され、前記パネルが、貫通孔を有し、前記貫通孔を介して前記パネルから前記室内用スイッチが露出され、
前記照明機構が、前記収納エリア中に着脱自在に配置され、第１の発光部及び第２の発光部を有し、前記照明機構中には、前記第１の発光部及び前記第２の発光部と電気的に接続された照明制御モジュールが配置され、
前記照明制御モジュールが、複数の接点及び導電部を介して前記ＡＣ／ＤＣ変換モジュールと電気的に接続され、
前記照明機構が、前記第１の発光部、前記第２の発光部及び前記照明制御モジュールと電気的に接続されたスイッチ部を有し、前記第１の発光部が、前記照明機構の側縁に設けられ、前記第２の発光部が、前記照明機構の端縁に設けられ、前記収納エリアが、前記照明機構の側縁に設けられ、前記収納エリアが、前記第１の発光部に対応するように設けられた透光開口を有し、一方の端部に設けられた開口部から前記第２の発光部を露出させ、他方の端部に第１の収納槽、弾性スイッチ及び挟持部が設けられ、
前記弾性スイッチが、前記第１の収納槽に設けられ、前記挟持部が、前記弾性スイッチに着脱自在に接続されて前記第１の収納槽から露出され、前記照明機構の他方の端縁が、第２の収納槽及び固定凸部を有し、前記固定凸部が、前記第２の収納槽に設けられ、前記挟持部が、前記第２の収納槽に着脱自在に設けられ、前記固定凸部が前記弾性スイッチに当接されると、前記固定凸部が前記挟持部により挟持されたり、リリースされたりすることを特徴とするスイッチパネル照明構造。
【請求項２】
前記ＡＣ／ＤＣ変換モジュールが、互いに電気的に接続された高周波スイッチユニット及び電流制限充電ユニットを含む請求項１に記載のスイッチパネル照明構造。
【請求項３】
前記照明制御モジュールが、互いに電気的に接続された充電電池、昇圧回路、照明モード検出ユニット及び照度検出ユニットを含み、
前記照度検出ユニットが、前記パネルの外側面に設けられる請求項１に記載のスイッチパネル照明構造。
【請求項４】
前記照明制御モジュールが、互いに電気的に接続された充電電池、昇圧回路、照明モード検出ユニット及び照度検出ユニットを含み、
前記照度検出ユニットが、前記パネルの外側面に設けられる請求項２に記載のスイッチパネル照明構造。
【考案の詳細な説明】
【技術分野】
【０００１】
本考案は、スイッチパネル照明構造に関し、特に、パネル上へ照明機構を安定的に設置するとともに、パネルから取り外して使用することが容易であり、照明機構を設置してもパネルの外形寸法が変わらないため、パネルの元々の見た目を保持し、夜間照明、緊急照明及び移動照明としても使用することができるスイッチパネル照明構造に関する。
【背景技術】
【０００２】
従来の照明構造を有するスイッチパネルは、周縁に嵌合溝を有するパネルと、着脱自在にパネルに設置された照明機構と、を含む。照明機構の少なくとも１つの側縁は、嵌合溝と着脱自在に結合されたガイドを有する。この構成により、パネル上に設置した照明機構を常夜灯として使用する以外に、照明機構を取り外して懐中電灯として単独で使用することもできる。
【０００３】
しかし、パネルと照明機構とは、嵌合溝とガイドとにより摺動可能に嵌合されるため、パネル上を摺動する照明機構の行程が長い上、嵌合溝とガイドとを組み合わせる際、確実に対応させて嵌合させなければ、位置がずれたり、軌道（又は案内歯）から外れて照明機構をパネルへ確実に結合させることができない上、取り外して使用することも困難となることがある。
【０００４】
他の従来の照明構造を有するスイッチパネルは、パネルの周縁に設けた第１の吸着部（金属片又は磁石）を有する。照明機構の一面上には、第１の吸着部に吸着される第２の吸着部（金属片又は磁石）が吸着され、パネルの第１の吸着部と照明機構の第２の吸着部とを吸着させることができるため、着脱が容易となり、上述の従来技術の欠点を改善することができる。
【０００５】
第１の吸着部及び第２の吸着部を使用すると、嵌合溝とガイドとを組み合わせて使用したときの欠点を改善することができるが、いずれの方式により結合した場合でも、両者の照明機構にパネルの周縁が付加的に設けられるため、パネルから照明機構がはみ出し、パネルの見た目が大きくなり、パネル全体の見た目に悪影響を与えることがある。
【０００６】
そのため、強固に設置したり容易に取り外したりすることができる上、照明機構が設置されてもパネルの外形寸法が変わらないため、パネルが元々有する見た目を保持し、夜間照明、緊急照明及び移動照明の機能も有するスイッチパネル照明構造の提供が求められていた。
【考案の概要】
【考案が解決しようとする課題】
【０００７】
本考案の目的は、照明機構をパネル上へ強固に設置したり、パネルから容易に取り外して使用することができる上、照明機構を設置してもパネルの外形寸法が変わらないため、パネルが元々有する見た目を保持し、夜間照明、緊急照明及び移動照明としても使用することができるスイッチパネル照明構造を提供することにある。
【課題を解決するための手段】
【０００８】
前記課題を解決するために、本考案の第１の形態によれば、室内用スイッチの外側面に配置することが可能であるとともに、パネル及び照明機構を備えたスイッチパネル照明構造であって、前記パネルは、少なくとも１つの周縁に設けられた収納エリアを有し、前記収納エリア中には導電部が設けられ、前記導電部には、ＡＣ／ＤＣ変換モジュールが電気的に接続され、前記ＡＣ／ＤＣ変換モジュールは、外部電力と電気的に接続され、前記パネルは、貫通孔を有し、前記貫通孔を介して前記パネルから前記室内用スイッチが露出され、前記照明機構は、前記収納エリア中に着脱自在に配置され、第１の発光部及び第２の発光部を有し、前記照明機構中には、前記第１の発光部及び前記第２の発光部と電気的に接続された照明制御モジュールが配置され、前記照明制御モジュールは、複数の接点及び導電部を介して前記ＡＣ／ＤＣ変換モジュールと電気的に接続され、前記照明機構は、前記第１の発光部、前記第２の発光部及び前記照明制御モジュールと電気的に接続されたスイッチ部を有し、前記第１の発光部は、前記照明機構の側縁に設けられ、前記第２の発光部は、前記照明機構の端縁に設けられ、前記収納エリアは、前記照明機構の側縁に設けられ、前記収納エリアは、前記第１の発光部に対応するように設けられた透光開口を有し、一方の端部に設けられた開口部から前記第２の発光部を露出させ、他方の端部に第１の収納槽、弾性スイッチ及び挟持部が設けられ、前記弾性スイッチは、前記第１の収納槽に設けられ、前記挟持部は、前記弾性スイッチに着脱自在に接続されて前記第１の収納槽から露出され、前記照明機構の他方の端縁は、第２の収納槽及び固定凸部を有し、前記固定凸部は、前記第２の収納槽に設けられ、前記挟持部は、前記第２の収納槽に着脱自在に設けられ、前記固定凸部が前記弾性スイッチに当接されると、前記固定凸部が前記挟持部により挟持されたり、リリースされたりすることを特徴とするスイッチパネル照明構造が提供される。
【０００９】
また、前記ＡＣ／ＤＣ変換モジュールは、互いに電気的に接続された高周波スイッチユニット及び電流制限充電ユニットを含むことが好ましい。
【００１０】
また、前記照明制御モジュールは、互いに電気的に接続された充電電池、昇圧回路、照明モード検出ユニット及び照度検出ユニットを含み、前記照度検出ユニットは、前記パネルの外側面に設けられることが好ましい。
【００１１】
また、前記照明制御モジュールは、互いに電気的に接続された充電電池、昇圧回路、照明モード検出ユニット及び照度検出ユニットを含み、前記照度検出ユニットは、前記パネルの外側面に設けられることが好ましい。
【考案の効果】
【００１２】
本考案のスイッチパネル照明構造は、照明機構をパネル上へ強固に設置したりパネルから容易に取り外して使用することができる上、照明機構を設置してもパネルの外形寸法が変わらないため、パネルが元々有する見た目を保持し、夜間照明、緊急照明及び移動照明としても使用することができる。
【図面の簡単な説明】
【００１３】
【図１】図１は、本考案の一実施形態に係るスイッチパネル照明構造を示す分解斜視図である。
【図２】図２は、本考案の一実施形態に係るスイッチパネル照明構造を示す斜視図である。
【図３】図３は、本考案の一実施形態に係るスイッチパネル照明構造の第１の収納槽、弾性スイッチ及び挟持部を示す斜視図である。
【図４】図４は、本考案の一実施形態に係るＡＣ／ＤＣ変換モジュール及び照明制御モジュールを示すブロック図である。
【図５】図５は、本考案の一実施形態に係るスイッチパネル照明構造を示すブロック図である。
【図６】図６は、本考案の一実施形態に係るスイッチパネル照明構造を示す断面図である。
【図７】図７は、本考案の一実施形態に係るスイッチパネル照明構造を懐中電灯として使用するときの状態を示す模式図である。
【考案を実施するための形態】
【００１４】
以下、本考案の実施形態について図に基づいて説明する。なお、これによって本考案が限定されるものではない。
【００１５】
図１〜図４を参照する。図１は、本考案の一実施形態に係るスイッチパネル照明構造を示す分解斜視図である。図２は、本考案の一実施形態に係るスイッチパネル照明構造を示す斜視図である。図３は、本考案の一実施形態に係るスイッチパネル照明構造の第１の収納槽、弾性スイッチ及び挟持部を示す斜視図である。図４は、本考案の一実施形態に係るＡＣ／ＤＣ変換モジュール及び照明制御モジュールを示すブロック図である。図１〜図４に示すように、本考案の一実施形態に係るスイッチパネル照明構造は、室内用スイッチ３の外部（外側面）に設置することが可能であり、パネル１及び照明機構２を含む。
【００１６】
上述のパネル１は、貫通孔１４を有する。この貫通孔１４は、室内用スイッチ３をパネル１の外側へ露出させるために用いる。パネル１の少なくとも１つの周縁には、収納エリア１１が設けられる。この収納エリア１１は、一方の端部に開口部１１１が設けられ、他方の端部に第１の収納槽１６、弾性スイッチ１７及び挟持部１８が設けられる。弾性スイッチ１７には、第１の収納槽１６が設けられる。弾性スイッチ１７は、プッシュスイッチであり、１回押すと第１の収納槽１６内へ弾性スイッチ１７の表面が引き込まれ、もう１回押すと弾性スイッチ１７の表面が弾性復元力により復位し、挟持部１８が弾性スイッチ１７の表面近くに着脱自在に接続されて第１の収納槽１６から露出される。収納エリア１１中には導電部１２が設けられている。この導電部１２は、ＡＣ／ＤＣ変換モジュール１３と電気的に接続され、ＡＣ／ＤＣ変換モジュール１３は、外部電力と電気的に接続される。
【００１７】
照明機構２は、収納エリア１１中に配置され、第１の発光部２１及び第２の発光部２２を有する。第１の発光部２１は、照明機構２の側縁に設けられ、第２の発光部２２は、照明機構２の端縁に設けられてもよい。収納エリア１１は、照明機構２の側縁に設けられ、第１の発光部２１に対応するように設けられた透光開口１５を有する。第２の発光部２２は、収納エリア１１の開口部１１１を介して露出され、照明機構２の他方の端縁には、第２の収納槽２５及び固定凸部２６が設けられている。固定凸部２６は、第２の収納槽２５に設けられる。照明機構２が収納エリア１１に設置されると、挟持部１８が第２の収納槽２５に着脱自在に接続される。固定凸部２６が弾性スイッチ１７に当接される際、固定凸部２６が挟持部１８により挟持されたり、リリースされたりする。照明機構２は、第１の発光部２１及び第２の発光部２２と電気的に接続された照明制御モジュール２３を有する。照明制御モジュール２３は、複数の接点２３０及び導電部１２を介してＡＣ／ＤＣ変換モジュール１３と電気的に接続される。照明機構２は、第１の発光部２１、第２の発光部２２及び照明制御モジュール２３と電気的に接続されたスイッチ部２４を有する。
【００１８】
図５〜図７を参照する。図５は、本考案の一実施形態に係るスイッチパネル照明構造を示すブロック図である。図６は、本考案の一実施形態に係るスイッチパネル照明構造を示す断面図である。図７は、本考案の一実施形態に係るスイッチパネル照明構造を懐中電灯として使用するときの状態を示す模式図である。
本実施形態のスイッチパネル照明構造を実際に使用する際（図１〜図４を併せて参照する）、パネル１を室内用スイッチ３（又はプラグ受け）の外側面に設置してスイッチパネルに代替してもよい。パネル１は、その周縁に設けられた収納エリア１１と照明機構２とを結合させることができるため、照明機構２を設置してもパネル１の外形寸法が変化せず、パネル１が元々有する見た目を保持することができる。従来、室内用スイッチ３の配電回路には活線（正極として用いる）しか設けられていなかったため、ＡＣ／ＤＣ変換モジュール１３、照明機構２及び照明制御モジュール２３を組み合わせて充電することはできなかった。そのため、本実施形態では、接線する際、室内用スイッチ３の配電回路中に増設したアース線を負極として使用し、室内用スイッチ３と室内照明ユニット４との間に負極の回路を設け、照明機構２により導電部１２を利用し、ＡＣ／ＤＣ変換モジュール１３と室内用スイッチ３とを電気的に接続した後、室内用スイッチ３により室内照明ユニット４をオフすると、負極回路が形成されて照明機構２を充電することができる。
【００１９】
図１〜図４を参照する。図１〜図４に示すように、上述の実施形態において、照明機構２をパネル１に結合させる際、開口部１１１を利用して収納エリア１１中へ照明機構２を挿設させる。照明機構２の固定凸部２６を弾性スイッチ１７へ当接させると、弾性スイッチ１７の表面及び挟持部１８が第１の収納槽１６へ引き込まれる。挟持部１８の両側が第１の収納槽１６の壁面に押し付けられると、挟持部１８により固定凸部２６を挟持するとともに、パネル１上へ照明機構２を強固に固定させることができる。これと同時に、照明制御モジュール２３の接点２３０を導電部１２に接触させて照明制御モジュール２３とＡＣ／ＤＣ変換モジュール１３とを導通させ、動作に必要な電力を提供することができる以外に、照明機構２の充電電池２３１をＡＣ／ＤＣ変換モジュール１３により充電することもできる。そして充電する際、高周波スイッチユニット１３１により高効率方式で交流高圧を直流低圧へ変換するとともに、電流制限充電ユニット１３２を組み合わせて充電電池２３１を保護してもよい。また実際に使用する際、充電電池２３１自体の電圧が低めであるため、第１の発光部２１及び第２の発光部２２を駆動させるために昇圧回路２３２により昇圧してもよい。
【００２０】
図１〜図４を参照する。図１〜図４に示すように、本実施形態では、照明機構２とパネル１とが結合された後に、照明制御モジュール２３が照度検出ユニット２３４により外部環境の明るさを検出し、空が暗くなったり停電したりした際、第１の発光部２１をオンして常夜灯の照明として使用したり緊急照明として使用したりする。反対に、明るさが十分である場合、照度検出ユニット２３４は第１の発光部２１をオフし、充電電池２３１を充電する。停電した場合、第１の発光部２１の光源を緊急用照明として使用すると、照明機構２の位置を探し出すことができる。続いて、ユーザが照明機構２の第２の発光部２２を押圧して弾性スイッチ１７へ固定凸部２６を当接させると、弾性スイッチ１７の表面と挟持部１８とが弾性復元力により復位し、挟持部１８の両側が第１の収納槽１６の壁面により押圧されなくなり、挟持部１８が開いて固定凸部２６をリリースし、開口部１１１を介して照明機構２を収納エリア１１から取り外すことができるため、照明機構２をパネル１から容易に取り外すことができる。照明制御モジュール２３をＡＣ／ＤＣ変換モジュール１３から外すと、照明モード検出ユニット２３３を懐中電灯モードに切替えて使用することができ、ユーザはスイッチ部２４をオンするだけで、充電電池２３１から電源を供給して第２の発光部２２を発光させ、懐中電灯として使用することができる（図７参照）。使用が終了した後、照明機構２を開口部１１１から収納エリア１１中へ設置するだけで、パネル１上へ強固に設置することができ、照明制御モジュール２３とＡＣ／ＤＣ変換モジュール１３とを接続すると、照明モード検出ユニット２３３から常夜灯モードへ切替えて使用することができる。常夜灯モード及び懐中電灯モードのいずれであっても、スイッチ部２４を利用すると、充電電池２３１により第１の発光部２１及び第２の発光部２２をオンしたりオフしたりすることができる。
【００２１】
上述したことから分かるように、本考案のスイッチパネル照明構造は、照明機構をパネル上へ強固に設置したり、パネルから取り外して使用することを容易にすることができる上、照明機構を設置してもパネルの外形寸法が変わらないため、パネルが元々有する見た目を保持し、夜間照明、緊急照明及び移動照明としても使用することができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１      パネル
２      照明機構
３      室内用スイッチ
４      室内照明ユニット
１１      収納エリア
１２      導電部
１３      ＡＣ／ＤＣ変換モジュール
１４      貫通孔
１５      透光開口
１６      第１の収納槽
１７      弾性スイッチ
１８      挟持部
２１      第１の発光部
２２      第２の発光部
２３      照明制御モジュール
２４      スイッチ部
２５      第２の収納槽
２６      固定凸部
１１１      開口部
１３１      高周波スイッチユニット
１３２      電流制限充電ユニット
２３０      接点
２３１      充電電池
２３２      昇圧回路
２３３      照明モード検出ユニット
２３４      照度検出ユニット
【図１】
0003178884.tif 000003
【図２】
0003178884.tif 000004
【図３】
0003178884.tif 000005
【図４】
0003178884.tif 000006
【図５】
0003178884.tif 000007
【図６】
0003178884.tif 000008
【図７】
0003178884.tif 000009